(57)【要約】      （修正有）【課題】プラズマディスプレイパネルの駆動装置の部品数を減らしながらも、高電圧のリセット電圧の発生を可能にし製造原価を低減させる。【解決手段】セットアップ区間で第１電圧供給部６０からサステイン電圧（Ｖ１＝Ｖｓ）が第２電圧蓄積部６０２に供給され、第２電圧蓄積部６０２は既に蓄積されていたスキャン電圧（Ｖ２＝Ｖｓｃ）と合わせた電圧（Ｖｓ＋Ｖｓｃ）を上昇ランプ発生部６０３に供給する。上昇ランプ発生部６０３は、スイッチＱ８のゲート端に設置された可変抵抗ＶＲ１でチャネル幅を調節しながら、上昇ランプ発生部６０３に印加された信号が所定勾配を持つようにして駆動信号出力部６２に供給する。駆動信号出力部６２に所定勾配を持って印加された電圧は、スイッチＱ１２を経由し上昇ランプは計としてパネルＣｐに供給される。【選択図】図６
2006079103.tif 000002
【特許請求の範囲】
【請求項１】
電極を含むプラズマディスプレイパネルと、
セットアップ区間で第１電圧を前記電極に供給するための第１電圧供給部と、
一つの電圧源で前記セットアップ区間で前記電極に上昇ランプパルスを供給し、前記一つの電圧源でアドレス区間で前記電極に第２電圧を供給するセットアップ/スキャン動作部と、を含むことを特徴とするプラズマディスプレイ装置。
【請求項２】
前記セットアップ/スキャン動作部は、
前記第２電圧を格納して前記第１電圧の印加時に前記第１電圧と前記第２電圧との合計に該当する合計電圧を供給する第２電圧蓄積部と、
該第２電圧蓄積部によって前記合計電圧が供給される時、前記第１電圧から前記合計電圧まで上昇する前記上昇ランプパルスを生成する上昇ランプ生成部と、
を含むことを特徴とする請求項１記載のプラズマディスプレイ装置。
【請求項３】
前記第２電圧蓄積部は、
前記上昇ランプ生成部と接続された一方端と、前記第１電圧の印加を受ける他方端と、を備えて、
前記上昇ランプ生成部は、
前記第２電圧の印加を受けて前記第２電圧蓄積部の一方端と接続される一方端と、前記上昇ランプパルスを前記電極に印加する他方端と、を備えることを特徴とする請求項２記載のプラズマディスプレイ装置。
【請求項４】
前記上昇ランプ生成部は、
トランジスタから成るスイッチと可変抵抗を含んで、
該可変抵抗は、前記トランジスタのゲート端に接続されることを特徴とする、請求項３記載のプラズマディスプレイ装置。
【請求項５】
前記プラズマディスプレイ装置においては、
前記電極を駆動するパルスを供給する駆動信号出力部を更に含んで、
該駆動信号出力部は、
直列で接続された上部スイッチと下部スイッチとを含んで、
前記上部スイッチは、前記上昇ランプパルスを前記電極に供給することを特徴とする、請求項１記載のプラズマディスプレイ装置。
【請求項６】
電極を含むプラズマディスプレイ装置の駆動方法において、
第１電圧を前記電極に印加する段階と、
前記第１電圧から該第１電圧と前記電極のスキャン時に使われる第２電圧との合計まで上昇する上昇ランプパルスを前記電極に印加する段階と、
を含むことを特徴とするプラズマディスプレイ装置の駆動方法。
【請求項７】
前記第１電圧は、サステイン放電を維持するためのサステイン電圧であることを特徴とする、請求項６記載のプラズマディスプレイ装置の駆動方法。
【請求項８】
電極を含むプラズマディスプレイパネルと、
第１電圧を供給するための第１電圧供給部と、
前記電極に前記第１電圧から該第１電圧と第２電圧との合計に該当する第１合計電圧まで上昇する第１上昇ランプパルスを供給するための第１セットアップ供給部と、
前記第１上昇ランプパルスが印加された後、前記電極に前記第１電圧、第２電圧及び第３電圧の合計に該当する第２合計電圧まで上昇する第２上昇ランプパルスを供給して前記電極のスキャン時に前記第３電圧を前記電極に供給する第２セットアップ供給部と、を含むことを特徴とするプラズマディスプレイ装置。
【請求項９】
前記第１上昇ランプパルスと前記第２上昇ランプパルスとは、同一な勾配を持つことを特徴とする、請求項８に記載のプラズマディスプレイ装置。
【請求項１０】
前記第２セットアップ供給部は、
前記第３電圧を格納して前記第１合計電圧の印加時に前記第２合計電圧を供給する第３電圧蓄積部と、
該第３電圧蓄積部によって前記第２合計電圧が供給される時、前記第１合計電圧から前記第２合計電圧まで上昇する第２上昇ランプパルスを生成する第２上昇ランプ生成部と、
を含むことを特徴とする請求項８記載のプラズマディスプレイ装置。
【請求項１１】
前記第３電圧蓄積部は、
前記第２上昇ランプ生成部と接続された一方端と、前記第１合計電圧の印加を受ける他方端と、を備えて、
第２上昇ランプ生成部は、
前記第３電圧の印加を受けて前記第３電圧蓄積部の一方端と接続される一方端と、前記第２上昇ランプパルスを印加する他方端と、を備えることを特徴とする請求項１０記載のプラズマディスプレイ装置。
【請求項１２】
前記第２上昇ランプ生成部は、
トランジスタから成るスイッチと可変抵抗を含んで、
該可変抵抗は、前記トランジスタのゲート端に接続されることを特徴とする、請求項１１記載のプラズマディスプレイ装置。
【請求項１３】
電極を含むプラズマディスプレイ装置の駆動方法において、
第１電圧を前記電極に印加する段階と、
前記第１電圧から該第１電圧と第２電圧との合計に該当する第１合計電圧まで上昇する第１上昇ランプパルスを前記電極に印加する段階と、
前記上昇ランプパルスが印加された後、前記第１電圧、前記第２電圧及び前記電極のスキャン時に供給される第３電圧の合計に該当する第２合計電圧まで上昇する第２上昇ランプパルスを前記電極に印加する段階と、
を含むことを特徴とするプラズマディスプレイ装置の駆動方法。
【請求項１４】
前記第１上昇ランプパルスと前記第２上昇ランプパルスとは、同一な勾配を持つことを特徴とする、請求項１３記載のプラズマディスプレイ装置の駆動方法。
【請求項１５】
前記第１電圧は、サステイン放電を形成するサステイン電圧であることを特徴とする、請求項１３記載のプラズマディスプレイ装置の駆動方法。
【請求項１６】
電極を含むプラズマディスプレイパネルと、
第１電圧を前記電極に供給する第１電圧供給部と、
前記第１電圧から第１電圧と第２電圧との合計まで上昇する上昇ランプパルスを生成する第２電圧供給部と、
スキャン時に前記電極に供給される第３電圧を前記上昇ランプパルスに加えた結果を前記電極に供給する第３電圧供給部と、
を含むことを特徴とするプラズマディスプレイ装置。
【請求項１７】
前記第３電圧供給部は、
前記第３電圧を格納して前記上昇ランプパルスの生成時に第３電圧を前記上昇ランプパルスに加えた結果を供給する第３電圧蓄積部を含むことを特徴とする、請求項１６記載のプラズマディスプレイ装置。
【請求項１８】
前記第３電圧供給部は、
前記第３電圧蓄積部によって供給される前記結果を前記電極に印加することを制御する第３電圧供給制御部を更に含むことを特徴とする、請求項１７記載のプラズマディスプレイ装置。
【請求項１９】
前記第３電圧蓄積部は、
前記第３電圧と接続されて前記結果を前記電極に印加する一方端と、前記上昇ランプパルスの印加を受ける他方端と、を備えることを特徴とする請求項１７記載のプラズマディスプレイ装置。
【請求項２０】
第３電圧供給制御部は、
前記第３電圧の印加を受けて前記第３電圧蓄積部の一方端と接続された前記一方端と、前記結果を前記電極に印加する他方端と、を備えることを特徴とする請求項１８記載のプラズマディスプレイ装置。
【請求項２１】
電極を含むプラズマディスプレイ装置の駆動方法において、
第１電圧を前記電極に印加する段階と、
前記第１電圧が印加される時、前記第１電圧から該第１電圧と第２電圧との合計まで上昇する上昇ランプパルスを生成する段階と、
前記上昇ランプパルスと第３電圧を加えた結果を前記電極に印加する段階と、
を含むことを特徴とするプラズマディスプレイ装置の駆動方法。
【請求項２２】
前記第１電圧は、サステイン放電を形成するサステイン電圧であることを特徴とする、請求項２１記載のプラズマディスプレイ装置の駆動方法。
【発明の詳細な説明】
【技術分野】
【０００１】
本発明は、プラズマディスプレイ装置及びその駆動方法に関するもので、より詳しくは、電極を駆動するプラズマディスプレイ装置及びその駆動方法に関するものである。
【背景技術】
【０００２】
一般に、プラズマディスプレイパネルは、前面基板と後面基板の間に形成された隔壁が一つの単位セルを成すもので、各セルの内部には、ネオン（Ｎe）、ヘリウム（He）またはネオン及びヘリウムの混合気体（Ｎｅ+Ｈｅ）のような主放電気体と少量のキセノンを含む不活性ガスが充填されている。高周波電圧によって放電される時、不活性ガスは、真空紫外線（Ｖａｃｕｕｍ  Ｕｌｔｒａｖｉｏｌｅｔ  ｒａｙｓ）を発生して隔壁の間に形成された蛍光体を発光させて画像を具現する。このようなプラズマディスプレイパネルは、薄くて軽い構成が可能なので、次世代表示装置として脚光を浴びている。
【０００３】
図１は、一般的なプラズマディスプレイパネルの斜視図である。図１に図示されたように、プラズマディスプレイパネルは、画像がディスプレイされる表示面である前面基板１００及び背面を成す後面基板１１０とが一定距離を間に置いて並行に結合される。
【０００４】
前面基板１００は、一つの放電セルで相互放電させてセルの発光を維持するためのスキャン電極１０１及びサステイン電極１０２、すなわち、透明なＩＴＯ物質に形成された透明電極（ａ）と金属材質に製作されたバス電極（ｂ）とが具備されたスキャン電極１０１及びサステイン電極１０２が対を成して形成される。該スキャン電極１０１及びサステイン電極１０２は、放電電流を制限して電極対の間を絶縁させてくれる一つ以上の誘電体層１０３によって覆われ、該誘電体層１０３の上面には、放電条件を容易にするために酸化マグネシウム（ＭｇＯ）を蒸着した保護層１０４が形成される。
【０００５】
前記後面基板１１０は、複数個の放電空間、すなわち、放電セルを形成させるためのストライプタイプ（またはウェルタイプ）の隔壁１１１が平行を維持して配列される。また、アドレス放電を遂行して真空紫外線を発生させる多数のアドレス電極１１２が隔壁１１１に対して並行に配置される。また、前記後面基板１１０の上側面には、アドレス放電時に画像表示のための可視光線を放出するＲ、Ｇ、Ｂ蛍光体１１３が塗布される。前記アドレス電極１１２及び蛍光体１１３の間には、前記アドレス電極１１２を保護して前記蛍光体１１３から放出される可視光線を前面基板１００に反射させる白色誘電体１１４が形成される。
【０００６】
このようなプラズマディスプレイパネルにおいて、画像階調を具現する方法は次の図２のようである。
【０００７】
図２は、従来のプラズマディスプレイ装置の画像階調を具現する方法を示した図である。図示されたように、従来のプラズマディスプレイ装置の画像階調（Ｇｒａｙ  Ｌｅｖｅｌ）の表現方法は、一つのフレームを発光回数が違う多くのサーブフィールドに分けて、各サーブフィールドは、また全てのセルを初期化させるためのリセット期間（ＲＰＤ）、放電するセルを選択するためのアドレス期間（ＡＰＤ）及び放電回数によって階調を具現するサステイン期間（ＳＰＤ）に分けられる。例えば、２５６階調で画像を表示しようとする場合に、１/６０秒に該当するフレーム期間（１６.６７ｍｓ）は、８個のサーブフィールド（ＳＦ１乃至ＳＦ８）に分けられ、８個の各サーブフィールド（ＳＦ１乃至ＳＦ８）はリセット期間、アドレス期間及びサステイン期間に再び分けられるようになる。
【０００８】
各サーブフィールドのリセット期間及びアドレス期間は、各サーブフィールド毎に同一である。放電されるセルを選択するためのアドレス放電は、アドレス電極とスキャン電極である透明電極の間の電圧差によって起こる。サステイン期間は、各サーブフィールドで２ｎ（ただ、ｎ=０、１、２、３、４、５、６、７）の割合で増加する。このように、各サーブフィールドでサステイン期間が異なるようになるため、各サーブフィールドのサステイン期間、すなわち、サステイン放電回数を調節して画像の階調が表現される。このようなプラズマディスプレイ装置の駆動方法による駆動波形は次の図３のようである。
【０００９】
図３は、従来のプラズマディスプレイ装置の駆動方法による駆動波形を示した図である。図示されたように、プラズマディスプレイ装置においては、全てのセルを初期化させるためのリセット区間、放電するセルを選択するためのアドレス区間、選択されたセルの放電を維持させるためのサステイン区間及び放電されたセル内の壁電荷を消去するための消去区間に分けられて駆動される。
【００１０】
リセット区間において、セットアップ区間には全てのスキャン電極に上昇ランプ波形（Ｒａｍｐ−ｕｐ）が同時に印加される。該上昇ランプ波形によって全画面の放電セル内には、弱い暗放電（Ｄａｒｋ  Ｄｉｓｃｈａｒｇｅ）が起こる。このセットアップ放電によってアドレス電極とサステイン電極上には正極性壁電荷が積もるようになり、スキャン電極上には負極性の壁電荷が積もるようになる。ここで、サステイン電極はサステイン電極を意味する。
【００１１】
セットダウン区間には、上昇ランプ波形が供給された後、上昇ランプ波形のピーク電圧より低い正極性電圧から落ち始めてグラウンド（ＧＮＤ）レベル電圧以下の特定電圧レベルまで落ちる下降ランプ波形（Ｒａｍｐ−ｄｏｗｎ）が各セル内に微弱な消去放電を起こすことで、スキャン電極に過度に形成された壁電荷を充分に消去させるようになる。このセットダウン放電によってアドレス放電が安定的に起こり得るほどの壁電荷がセル内に均一に残留される。
【００１２】
アドレス区間には、負極性スキャン信号（Ｓｃａｎ）が各スキャン電極に順次的に印加されると同時に、スキャン信号に同期されてアドレス電極に正極性のデータ信号が印加される。該スキャン信号とデータ信号との電圧差とリセット区間に生成された壁電圧が加わりながらデータ信号が印加される放電セル内にはアドレス放電が発生する。該アドレス放電によって選択されたセル内には、サステイン電圧（Ｖｓ）が印加される時に放電が起こり得るようにする程度の壁電荷が形成される。サステイン電極には、セットダウン区間とアドレス区間の間にスキャン電極との電圧差を減らしてスキャン電極との誤放電が起こらないように正極性電圧（Ｖｚ）が供給される。
【００１３】
サステイン区間には、各スキャン電極とサステイン電極に交番的にサステイン信号（Ｓｕｓ）が印加される。アドレス放電によって選択されたセルは、セル内の壁電圧とサステイン信号が加わりながらサステイン信号が印加されるたびに、スキャン電極とサステイン電極の間にサステイン放電、すなわち、表示放電が起こるようになる。
【００１４】
サステイン放電が完了した後、消去区間ではパルス幅と電圧レベルの小さい消去ランプ波形（Ｒａｍｐ−ｅｒｓ）の電圧がサステイン電極に供給されて全画面のセル内に残留する壁電荷を消去させる。
【００１５】
このような駆動波形を生成して供給するための従来のプラズマディスプレイ装置は、次の図４のようである。
【００１６】
図４は、従来のプラズマディスプレイ装置の回路図である。図示されたように、従来のプラズマディスプレイ装置においては、サステイン電圧供給部４０、セットアップ供給部４１、スキャン電圧供給部４２、駆動信号出力部４３、セットダウン供給部４４、負極性スキャン電圧供給部４５、セットアップ供給部４１と駆動信号出力部４３の間に接続される第７スイッチ（Ｑ７）及びセットアップ供給部４１とサステイン電圧供給部４０の間に接続される第６スイッチ（Ｑ６）を含む。
【００１７】
また、前記駆動信号出力部４３は、プッシュプル（Ｐｕｓｈ−Ｐｕｌｌ）接続されており、前記サステイン電圧供給部４０、セットアップ供給部４１、スキャン電圧供給部４２、セットダウン供給部４４及び負極性スキャン電圧供給部４５から電圧信号が入力される第１２及び第１３スイッチ（Ｑ１２、Ｑ１３）から構成される。また、該第１２及び第１３スイッチ（Ｑ１２、Ｑ１３）の間の出力ラインは、パネル（Ｃｐ）に接続され、好ましくは、該パネル（Ｃｐ）のスキャン電極ラインの中で何れか一つに接続される。
【００１８】
また、前記サステイン電圧供給部４０は、前記パネル（Ｃｐ）から回収されるエネルギーを充電するためのエネルギー供給及び回収用キャパシタ（Ｃ１）と、該エネルギー供給及び回収用キャパシタ（Ｃ１）とドライブ集積回路４３の間に接続されるインダクタ（Ｌ１）と、該インダクタ（Ｌ１）とエネルギー供給及び回収用キャパシタ（Ｃ１）の間に、第１スイッチ（Ｑ１）及び第１ダイオード（Ｄ１）と、第２スイッチ（Ｑ２）及び第２ダイオード（Ｄ２）とを含む。第１スイッチ（Ｑ１）及び第１ダイオード（Ｄ１）と、第２スイッチ（Ｑ２）及び第２ダイオード（Ｄ２）とは、互いに並列に接続されている。また、前記サステイン電圧供給部４０は、前記パネル（Ｃｐ）からエネルギーを回収した後、該回収されたエネルギーを利用して前記パネル（Ｃｐ）上に電圧を供給することで、セットアップ期間とサステイン期間の放電の時に過度な消費電力を減らすようになる。
【００１９】
また、前記スキャン電圧供給部４２は、スキャン電圧源（Ｖｓｃ）と第２ノード（ｎ２）の間に接続される第３キャパシタ（Ｃ３）と、スキャン電圧源（Ｖｓｃ）と第２ノード（ｎ２）の間に接続される第８スイッチ（Ｑ８）及び第９スイッチ（Ｑ９）を含む。第８スイッチＱ８及び第９スイッチＱ９と、第３キャパシタＣ３とは、互いに並列に接続されている。該第８スイッチ（Ｑ８）及び第９スイッチ（Ｑ９）は、アドレス期間の間にタイミングコントローラから供給される制御信号によって切換されながらスキャン電圧源（Ｖｓｃ）の電圧をドライブ集積回路４３に供給する。前記第３キャパシタ（Ｃ３）は、前記第２ノード（ｎ２）に印加される電圧とスキャン電圧源（Ｖｓｃ）の電圧値を合わせて第８スイッチ（Ｑ８）に供給する。
【００２０】
前記セットアップ供給部４１は、セットアップ電圧源（Ｖｓｔ）と第１ノード（ｎ１）の間に接続された第３ダイオード（Ｄ３）及び第５スイッチ（Ｑ５）と、セットアップ電圧源（Ｖｓｔ）とサステイン電圧供給部４０の間に設置される第２キャパシタ（Ｃ２）と、を含む。前記第３ダイオード（Ｄ３）は、第２キャパシタ（Ｃ２）からセットアップ電圧源（Ｖｓｔ）の方に流れる逆方向電流を遮断する。前記第２キャパシタ（Ｃ２）は、前記サステイン電圧供給部４０から供給されるサステイン電圧（Ｖｓ）とセットアップ電圧源（Ｖｓｔ）の電圧値を合わせて第５スイッチ（Ｑ５）に供給する。該第５スイッチ（Ｑ５）は、リセット期間の間、図示されない制御信号に応答して切換されることで、セットアップ電圧を第１ノード（ｎ１）に供給する。
【００２１】
また、前記セットダウン供給部４４は、前記第２ノード（ｎ２）と負極性スキャン電圧（-Ｖｙ）の間に接続される第１０スイッチ（Ｑ１０）を含む。また、前記セットダウン供給部４４は、リセット期間に含まれるセットダウン期間の間に駆動信号出力部４３に供給される電圧を負極性スキャン電圧（-Ｖｙ）まで所定の勾配を持って除々に下降させる。ここで、前記負極性スキャン電圧（-Ｖｙ）がセットダウン電圧源として利用される。
【００２２】
また、前記負極性スキャン電圧供給部４５は、前記第２ノード（ｎ２）と負極性スキャン電圧源（-Ｖｙ）の間に接続された第１１スイッチ（Ｑ１１）を含む。また、該第１１スイッチ（Ｑ１１）は、アドレス期間の間、図示されないタイミングコントローラから供給される制御信号に応答して切換されることで、負極性スキャン電圧（-Ｖｙ）を前記駆動信号出力部４３に供給する。
【００２３】
このような従来のプラズマディスプレイパネルの駆動装置において、図３に図示された駆動波形の中でリセット区間のリセット波形を生成する過程を図５を参照して説明すると、次のようである。
【００２４】
図５は、従来のプラズマディスプレイパネルの駆動装置において、リセット区間に上昇ランプ波形を生成するためのスイッチング動作を示したタイミング図である。ここで、前記第２キャパシタ（Ｃ２）には、セットアップ電圧源の電圧（Ｖｓｔ）が充電されていると仮定する。
【００２５】
まず、セットアップ期間の間に前記第５スイッチ（Ｑ５）及び第７スイッチ（Ｑ７）がターンオンされ、第６スイッチ（Ｑ６）及び第１０スイッチ（Ｑ１０）はターンオフされる。この時、前記サステイン電圧供給部４０からサステイン電圧（Ｖｓ）が供給される。該サステイン電圧供給部４０から供給されたサステイン電圧（Ｖｓ）は、第６スイッチ（Ｑ６）の内部ダイオード、第７スイッチ（Ｑ７）及び駆動信号出力部４３を経由して前記パネル（Ｃｐ）に供給される。したがって、該パネル（Ｃｐ）の電圧はＶｓに急激に上昇される。
【００２６】
一方、前記第２キャパシタ（Ｃ２）に格納されたセットアップ電圧（Ｖｓｔ）は、前記サステイン電圧源の電圧（Ｖｓ）と合わされて前記第５スイッチ（Ｑ５）に供給される。該第５スイッチ（Ｑ５）は、自身の前端に設置された第１可変抵抗（ＶＲ１）によってチャンネル幅が調節されながら前記第２キャパシタ（Ｃ２）から供給される電圧を所定勾配を持って第１ノード（ｎ１）に供給する。該第１ノード（ｎ１）に所定勾配を持って印加される電圧は、第７スイッチ（Ｑ７）及び駆動信号出力部４３を経由して前記パネル（Ｃｐ）に供給される。この時、該パネル（Ｃｐ）に上昇ランプ波形（Ｒａｍｐ−ｕｐ）が供給される。
【００２７】
該パネル（Ｃｐ）に上昇ランプ波形（Ｒａｍｐ−ｕｐ）が供給された後、前記第５スイッチ（Ｑ５）はターンオフされる。該第５スイッチ（Ｑ５）がターンオフされると、前記サステイン電圧供給部４０から供給されるＶｓの電圧のみが前記第１ノード（ｎ１）に印加されることで、前記パネル（Ｃｐ）の電圧はＶｓに急激に下降する。
【００２８】
前記セットアップ供給部４１は、このような過程を繰り返しながらリセット期間の間に前記パネル（Ｃｐ）に上昇ランプ波形（Ｒａｍｐ−ｕｐ）を供給する。
【００２９】
このような従来のプラズマディスプレイパネルの駆動装置においては、製造費用が相対的に高いという問題点があった。例えば、高い耐圧を持つ第６スイッチ（Ｑ６）を使うことで製造費用が上昇する。すなわち、該第６スイッチ（Ｑ６）は、セットアップ電圧源の電圧（Ｖｓｔ）にサステイン電圧（Ｖｓ）を加えるようにする役割を遂行するが、サステインパルスが供給される経路に位置するため、高い耐圧を持つ大容量のスイッチング素子ではなければならない。したがって、製造費用が上昇するという問題点が発生する。
【００３０】
また、従来のプラズマディスプレイパネルが生成する駆動波形は、リセット区間波形の電圧が相対的に低くて駆動効率を低下させる可能性がある。すなわち、最近は、プラズマディスプレイパネルの放電セル内にキセノン（Ｘｅ）の含量を増加させているが、このような場合は、放電開始電圧が増加する。例えば、以前は、１００Ｖで放電が発生したと仮定すると、キセノンの含量を増加させると、１５０Ｖで放電が発生する。このような場合、従来の駆動波形のリセット波形が印加されると、リセット放電が不安定になって駆動効率が減少されるという問題点があった。
【発明の開示】
【発明が解決しようとする課題】
【００３１】
本発明の目的は、このような問題点に鑑みて成されたもので、プラズマディスプレイ装置の製造原価を減少させることを提供するのである。
【００３２】
また、本発明の他の目的は、リセット区間のセットアップ波形を改善して駆動効率を高めることを提供するのである。
【課題を解決するための手段】
【００３３】
本発明に係るプラズマディスプレイ装置においては、電極を含むプラズマディスプレイパネルと、セットアップ区間で第１電圧を前記電極に供給するための第１電圧供給部と、一つの電圧源で前記セットアップ区間で前記電極に上昇ランプパルスを供給し、前記一つの電圧源でアドレス区間で前記電極に第２電圧を供給するセットアップ/スキャン動作部と、を含むことを特徴とする。
【００３４】
本発明に係るプラズマディスプレイ装置の駆動方法においては、第１電圧を前記電極に印加する段階と、前記第１電圧から該第１電圧と前記電極のスキャン時に使われる第２電圧との合計まで上昇する上昇ランプパルスを前記電極に印加する段階と、を含むことを特徴とする。
【００３５】
本発明に係るプラズマディスプレイ装置においては、電極を含むプラズマディスプレイパネルと、第１電圧を供給するための第１電圧供給部と、前記電極に前記第１電圧から該第１電圧と第２電圧との合計に該当する第１合計電圧まで上昇する第１上昇ランプパルスを供給するための第１セットアップ供給部と、前記第１上昇ランプパルスが印加された後、前記電極に前記第１電圧、第２電圧及び第３電圧の合計に該当する第２合計電圧まで上昇する第２上昇ランプパルスを供給し、前記電極のスキャン時に前記第３電圧を前記電極に供給する第２セットアップ供給部と、を含むことを特徴とする。
【００３６】
本発明に係るプラズマディスプレイ装置の駆動方法においては、第１電圧を前記電極に印加する段階と、前記第１電圧から該第１電圧と第２電圧との合計に該当する第１合計電圧まで上昇する第１上昇ランプパルスを前記電極に印加する段階と、前記上昇ランプパルスが印加された後、前記第１電圧、前記第２電圧及び前記電極のスキャン時に供給される第３電圧の合計に該当する第２合計電圧まで上昇する第２上昇ランプパルスを前記電極に印加する段階と、を含むことを特徴とする。
【００３７】
本発明に係るプラズマディスプレイ装置においては、電極を含むプラズマディスプレイパネルと、第１電圧を前記電極に供給する第１電圧供給部と、前記第１電圧から第１電圧と第２電圧との合計まで上昇する上昇ランプパルスを生成する第２電圧供給部と、スキャン時に前記電極に供給される第３電圧を前記上昇ランプパルスに加えた結果を前記電極に供給する第３電圧供給部と、を含むことを特徴とする。
【００３８】
本発明に係るプラズマディスプレイ装置の駆動方法においては、第１電圧を前記電極に印加する段階と、前記第１電圧が印加される時、該第１電圧から該第１電圧と第２電圧との合計まで上昇する上昇ランプパルスを生成する段階と、前記上昇ランプパルスと第３電圧を加えた結果を前記電極に印加する段階と、を含むことを特徴とする。
【発明の効果】
【００３９】
本発明は、部品数を減らして製造単価を減少し得るし、リセット区間でセットアップ波形の電圧を上昇させて駆動効率を向上し得るという効果がある。
【発明を実施するための最良の形態】
【００４０】
本発明に係るプラズマディスプレイ装置においては、電極を含むプラズマディスプレイパネルと、セットアップ区間で第１電圧を前記電極に供給するための第１電圧供給部と、一つの電圧源で前記セットアップ区間で前記電極に上昇ランプパルスを供給し、前記一つの電圧源でアドレス区間で前記電極に第２電圧を供給するセットアップ/スキャン動作部と、を含む。
【００４１】
また、前記セットアップ/スキャン動作部は、ａ）前記第２電圧を格納して前記第１電圧の印加時に前記第１電圧と前記第２電圧との合計に該当する合計電圧を供給する第２電圧蓄積部及びｂ）該第２電圧蓄積部によって前記合計電圧が供給される時、前記第１電圧から前記合計電圧まで上昇する前記上昇ランプパルスを生成する上昇ランプ生成部と、を含むことを特徴とする。
【００４２】
また、前記第２電圧蓄積部は、前記上昇ランプ生成部と接続された一方端と、前記第１電圧の印加を受ける他方端と、を備えて、前記上昇ランプ生成部は、前記第２電圧の印加を受けて前記第２電圧蓄積部の一方端と接続される一方端と、前記上昇ランプパルスを前記電極に印加する他方端と、を備えることを特徴とする。
【００４３】
また、前記上昇ランプ生成部は、トランジスタから成るスイッチと可変抵抗を含んで、該可変抵抗は、前記トランジスタのゲート端に接続されることを特徴とする。
【００４４】
前記プラズマディスプレイ装置においては、前記電極を駆動するパルスを供給する駆動信号出力部を更に含んで、該駆動信号出力部は、直列で接続された上部スイッチと下部スイッチを含んで、前記上部スイッチは、前記上昇ランプパルスを前記電極に供給することを特徴とする。
【００４５】
本発明に係るプラズマディスプレイ装置の駆動方法においては、第１電圧を前記電極に印加する段階と、前記第１電圧から該第１電圧と前記電極のスキャン時に使われる第２電圧との合計まで上昇する上昇ランプパルスを前記電極に印加する段階と、を含む。
【００４６】
また、 本発明に係るプラズマディスプレイ装置の駆動方法においては、前記第１電圧は、サステイン放電を維持するためのサステイン電圧であることを特徴とする。
【００４７】
また、本発明に係るプラズマディスプレイ装置においては、電極を含むプラズマディスプレイパネルと、第１電圧を供給するための第１電圧供給部と、前記電極に前記第１電圧から該第１電圧と第２電圧との合計に該当する第１合計電圧まで上昇する第１上昇ランプパルスを供給するための第１セットアップ供給部と、前記第１上昇ランプパルスが印加された後、前記電極に前記第１電圧、第２電圧及び第３電圧の合計に該当する第２合計電圧まで上昇する第２上昇ランプパルスを供給して前記電極のスキャン時に前記第３電圧を前記電極に供給する第２セットアップ供給部と、を含む。
【００４８】
また、前記第２セットアップ供給部は、ａ）前記第３電圧を格納して前記第１合計電圧の印加時に前記第２合計電圧を供給する第３電圧蓄積部及びｂ）該第３電圧蓄積部によって前記第２合計電圧が供給される時、前記第１合計電圧から前記第２合計電圧まで上昇する第２上昇ランプパルスを生成する第２上昇ランプ生成部と、を含むことを特徴とする。
【００４９】
また、前記第３電圧蓄積部は、前記第２上昇ランプ生成部と接続された一方端と、前記第１合計電圧の印加を受ける他方端と、を備えて、第２上昇ランプ生成部は、前記第３電圧の印加を受けて前記第３電圧蓄積部の一方端と接続される一方端と、前記第２上昇ランプパルスを印加する他方端と、を備えることを特徴とする。
【００５０】
また、前記第２上昇ランプ生成部は、トランジスタから成るスイッチと可変抵抗を含んで、該可変抵抗は、前記トランジスタのゲート端に接続されることを特徴とする。
【００５１】
また、本発明に係るプラズマディスプレイ装置の駆動方法においては、第１電圧を前記電極に印加する段階と、前記第１電圧から該第１電圧と第２電圧との合計に該当する第１合計電圧まで上昇する第１上昇ランプパルスを前記電極に印加する段階と、前記上昇ランプパルスが印加された後、前記第１電圧、前記第２電圧及び前記電極のスキャン時に供給される第３電圧の合計に該当する第２合計電圧まで上昇する第２上昇ランプパルスを前記電極に印加する段階と、を含む。
【００５２】
また、前記第１上昇ランプパルスと前記第２上昇ランプパルスとは、同一な勾配を持つことを特徴とする。
【００５３】
また、前記第１電圧は、サステイン放電を形成するサステイン電圧であることを特徴とする。
【００５４】
また、本発明に係るプラズマディスプレイ装置においては、電極を含むプラズマディスプレイパネルと、第１電圧を前記電極に供給する第１電圧供給部と、前記第１電圧から第１電圧と第２電圧との合計まで上昇する上昇ランプパルスを生成する第２電圧供給部と、スキャン時に前記電極に供給される第３電圧を前記上昇ランプパルスに加えた結果を前記電極に供給する第３電圧供給部と、を含む。
【００５５】
また、前記第３電圧供給部は、前記第３電圧を格納して前記上昇ランプパルスの生成時に第３電圧を前記上昇ランプパルスに加えた結果を供給する第３電圧蓄積部を含むことを特徴とする。
【００５６】
また、前記第３電圧供給部は、前記第３電圧蓄積部によって供給される前記結果を前記電極に印加することを制御する第３電圧供給制御部を更に含むことを特徴とする。
【００５７】
また、前記第３電圧蓄積部は、前記第３電圧と接続されて前記結果を前記電極に印加する一方端と、前記上昇ランプパルスの印加を受ける他方端と、を備えることを特徴とする。
【００５８】
また、第３電圧供給制御部は、前記第３電圧の印加を受けて前記第３電圧蓄積部の一方端と接続された前記一方端と、前記結果を前記電極に印加する他方端と、を備えることを特徴とする。
【００５９】
また、本発明に係るプラズマディスプレイ装置の駆動方法においては、第１電圧を前記電極に印加する段階と、前記第１電圧が印加される時、該第１電圧から該第１電圧と第２電圧との合まで上昇する上昇ランプパルスを生成する段階と、前記上昇ランプパルスと第３電圧を加えた結果を前記電極に印加する段階と、を含む。
【００６０】
また、前記第１電圧は、サステイン放電を形成するサステイン電圧であることを特徴とする。
【００６１】
以下、本発明に係る具体的な実施形態を添付された図面を参照して説明する。
【００６２】
<第１実施形態>
図６は、本発明の第１実施形態に係るプラズマディスプレイ装置の回路図である。図示されたように、本発明に係るプラズマディスプレイパネルの駆動装置の第１実施形態においては、第１電圧供給部６０、セットアップ/スキャン動作部６１、駆動信号出力部６２、セットダウン供給部６３及び負極性電圧供給部６４を含む。図面符号６０１は、電流経路制御部であって、該電流経路制御部６０１は、電流経路を制御するための第７スイッチ（Ｑ７）を含む。
【００６３】
また、駆動信号出力部６２は、プッシュプル（Ｐｕｓｈ−ｐｕｌｌ）接続されており、前記第１電圧供給部６０、セットアップ/スキャン動作部６１、セットダウン供給部６３及び負極性電圧供給部６４から電圧信号が入力される第１２スイッチ（Ｑ１２）及び第１３スイッチ（Ｑ１３）から構成される。また、該第１２スイッチ（Ｑ１２）及び第１３スイッチ（Ｑ１３）の間の出力ラインは、パネル（Ｃｐ）に接続されるが、好ましくは、該パネル（Ｃｐ）のスキャン電極ラインの中で何れか一つに接続される。
【００６４】
また、第１電圧供給部６０は、前記パネル（Ｃｐ）から回収されるエネルギーを充電するためのエネルギー供給及び回収用キャパシタ（Ｃ１）と、エネルギー供給及び回収用キャパシタ（Ｃ１）と駆動信号出力部６２の間に接続されるインダクタ（Ｌ１）と、該インダクタ（Ｌ１）とエネルギー供給及び回収用キャパシタ（Ｃ１）の間に、第１スイッチ（Ｑ１）、第１ダイオード（Ｄ１）、第２スイッチ（Ｑ２）及び第２ダイオード（Ｄ２）を含む。ここで、第１スイッチ（Ｑ１）及び第１ダイオード（Ｄ１）と、第２スイッチ（Ｑ２）及び第２ダイオード（Ｄ２）とは互いに並列に接続されている。
【００６５】
また、前記セットアップ/スキャン動作部６１は、第２電圧であるスキャン電圧源（Ｖ２=Ｖｓｃ）と第２ノード（ｎ２）との間に接続される、第２電圧蓄積部６０２と、スキャン電圧源（Ｖ２=Ｖｓｃ）と第２ノード（ｎ２）の間に接続される上昇ランプ生成部６０３及び電流経路選択制御部６０５と、スキャン電圧源（Ｖ２=Ｖｓｃ）と第２電圧蓄積部６０２及び上昇ランプ生成部６０３との間に接続される逆電流遮断部６０４と、を含む。
【００６６】
また、電流経路選択制御部６０５は、第９スイッチ（Ｑ９）を含む。
【００６７】
また、前記逆電流遮断部６０４は、第４ダイオード（Ｄ４）を含んでおり、第２電圧蓄積部６０２からスキャン電圧源（Ｖｓｃ）に向かって流れる逆方向電流を遮断するように設置される。
【００６８】
また、第２電圧蓄積部６０２は、スキャン電圧格納用キャパシタ（Ｃ３）を含んでおり、前記第１電圧供給部６０から供給されるサステイン電圧（Ｖｓ）と、スキャン電圧格納用キャパシタ（Ｃ３）に既に格納されていたスキャン電圧源（Ｖｓｃ）の電圧値とを合わせて、上昇ランプ生成部６０３に供給する。すなわち、Ｖｓｃ+Ｖｓの電圧を上昇ランプ生成部６０３に供給する。
【００６９】
該上昇ランプ生成部６０３は、ゲート端に第１可変抵抗（ＶＲ１）が接続された第８スイッチ（Ｑ８）を含んでおり、所定の勾配を持った上昇ランプを形成する。また、上昇ランプ生成部６０３は、リセット区間の間、図示されない制御信号に応答して切換されることで、セットアップ電圧を駆動信号出力部６２を通してパネル（Ｃｐ）に供給する。また、上昇ランプ生成部６０３の第８スイッチ（Ｑ８）及び電流経路選択制御部６０５の第９スイッチ（Ｑ９）は、アドレス期間の間、タイミングコントローラ（図示せず）から供給される制御信号によって切換されながら、スキャン電圧源（Ｖ２=Ｖｓｃ）の電圧を駆動信号出力部６２に供給する。
【００７０】
ここで、第２電圧蓄積部６０２の一方端は、駆動信号出力部６２の一方端（ノードｎ２）、電流経路選択部６０５の一方端、セットダウン供給部６３、及び、負極性電圧供給部６４の一方端と共通に接続されている。また、第２電圧蓄積部６０２の他方端は、逆電流遮断部６０４の一方端及び上昇ランプ生成部６０３の一方端と共通に接続されている。
【００７１】
また、前記上昇ランプ生成部６０３の他方端は、電流経路選択制御部６０５の他方端及び駆動信号出力部６２の他方端と共通に接続されている。
【００７２】
また、セットダウン供給部６３は、第２ノード（ｎ２）と負極性電圧源（-Ｖｙ）との間に接続される第１０スイッチ（Ｑ１０）を含む。ここで、該第１０スイッチ（Ｑ１０）のゲート端には、所定の可変抵抗（ＶＲ２）が接続されている。また、セットダウン供給部６３は、リセット期間に含まれるセットダウン期間の間に、駆動信号出力部６２に供給される電圧を負極性電圧（-Ｖｙ）まで所定の勾配を持ってに下降させる。ここで、負極性電圧（-Ｖｙ）がセットダウン電圧源として利用される。
【００７３】
負極性電圧供給部６４は、第２ノード（ｎ２）と負極性電圧源（-Ｖｙ）の間に接続された第１１スイッチ（Ｑ１１）を含む。即ち、第１１スイッチ（Ｑ１１）は、セットダウン供給部６３と並列に接続されている。該第１１スイッチ（Ｑ１１）は、アドレス期間の間に図示されないタイミングコントローラから供給される制御信号に応答して切換されることで、負極性電圧（-Ｖｙ）を駆動信号出力部６２に供給する。
【００７４】
このような本発明に係るプラズマディスプレイパネルの駆動装置において、リセット区間のリセット波形を生成する過程を図７を参照して説明すると、次のようである。
【００７５】
図７は、本発明の第１実施形態の動作による駆動波形及びスイッチタイミングを示した図である。
【００７６】
前記第２電圧蓄積部６０２には、スキャン電圧（Ｖ２=Ｖｓｃ）が充電されていると仮定する。
まず、セットアップ区間の間に前記第１電圧供給部６０の第３スイッチ（Ｑ３）、電流経路制御部６０１の第７スイッチ（Ｑ７）、上昇ランプ発生部６０３の第８スイッチ（Ｑ８）及び駆動信号出力部６２の第１２スイッチ（Ｑ１２）がターンオンされる。電流経路選択制御部６０５の第９スイッチ（Ｑ９）はターンオフ状態を維持し、駆動信号出力部６２の第１３スイッチ（Ｑ１３）はターンオフされる。
【００７７】
この時、第１電圧供給部６０から第１電圧であるサステイン電圧（Ｖ１=Ｖｓ）が供給される。次いで、第１電圧供給部６０から供給されたサステイン電圧（Ｖ１=Ｖｓ）は、電流経路制御部６０１の第７スイッチ（Ｑ７）を通して第２電圧蓄積部６０２に供給される。次いで、第２ノード（ｎ２）の電圧がサステイン電圧（Ｖ１=Ｖｓ）になる。
【００７８】
これによって、第２電圧蓄積部６０２は、既に蓄積されていたスキャン電圧（Ｖ２=Ｖｓｃ）と、電流経路制御部６０１の第７スイッチ（Ｑ７）を通して供給を受けたＶｓとを合わせて、上昇ランプ発生部６０３に供給する。すなわち、（Ｖｓ+Ｖｓｃ）の電圧を上昇ランプ発生部６０３に供給する。
【００７９】
次いで、該上昇ランプ発生部６０３は、第８スイッチ（Ｑ８）のゲート端に設置された可変抵抗（ＶＲ１）でチャンネル幅を調節しながら、上昇ランプ発生部６０３に印加された信号が所定勾配を持つようにして駆動信号出力部６２に供給する。次いで、該駆動信号出力部６２に所定勾配を持って印加される電圧は、第１２スイッチ（Ｑ１２）を経由してパネル（Ｃｐ）に供給される。この時、該パネル（Ｃｐ）に上昇ランプ波形（Ｒａｍｐ−ｕｐ）が供給される。
【００８０】
セットアップ/スキャン動作部６１は、このような過程を繰り返しながらリセット区間の間にパネル（Ｃｐ）に上昇ランプ波形（Ｒａｍｐ−ｕｐ）を供給する。
【００８１】
このように、本発明の第１実施形態に係るプラズマディスプレイ装置においては、図４の場合に比べてサステイン電流を通過させるための大容量である第６スイッチ（Ｑ６）を省略しても、リセット区間でＶｓｅｔｕｐ＝Ｖｓｃ＋Ｖｓまで上昇する上昇ランプ波形を生成してパネル（Ｃｐ）に印加することで、正常なリセット動作を遂行する。また、図４の場合に比べて第３ダイオード（Ｄ３）、第２キャパシタ（Ｃ２）及び第５スイッチ（Ｑ５）が省略されたので、回路が占める面積が低減されて製造単価も減少される。
なお、セットアップ区間の終了後には、スイッチＱ３，Ｑ７，Ｑ８，Ｑ１２がターンオフされ、スイッチＱ１０，Ｑ１３がターンオンされる。これにより、セットダウン区間では、駆動信号出力部６２の出力電圧は、図７に示すように、サステイン電圧Ｖｓまで急速に降下した後、所定の勾配をもって下降する。
【００８２】
<第２実施形態>
図８は、本発明に係るプラズマディスプレイパネルの駆動装置の第２実施形態を示した図面である。図示されたように、本発明に係るプラズマディスプレイパネルの駆動装置の第２実施形態においては、第１電圧供給部８０、第１セットアップ供給部８１、第２セットアップ供給部８２と、駆動信号出力部８３と、セットダウン供給部８６と、負極性スキャン電圧供給部８７と、第１セットアップ供給部８１と駆動信号出力部８３の間に接続される第１電流経路制御部８４と、第１セットアップ供給部８１と第１電圧供給部８０の間に接続される第２電流経路制御部８５と、を含む。
【００８３】
また、第１セットアップ供給部８１は、第２電圧Ｖ２であるセットアップ電圧Ｖｓｔを供給するセットアップ電圧源（Ｖ２=Ｖｓｔ）と第１ノード（ｎ１）の間に接続された第１逆電流遮断部８０１及び第１上昇ランプ生成部８０２と、セットアップ電圧源（Ｖ２=Ｖｓｔ）とエネルギー回収回路部８０の間に設置される第２電圧蓄積部８００と、を含む。ここで、第１上昇ランプ生成部８０２と、第２電圧蓄積部８００とは互いに並列に接続されている。
【００８４】
また、第１逆電流遮断部８０１は、第３ダイオード（Ｄ３）を含んでおり、第２電圧蓄積部８００からセットアップ電圧源（Ｖ２=Ｖｓｔ）に向かって流れる逆方向電流を遮断する。
【００８５】
また、第２電圧蓄積部８００は、第２キャパシタ（Ｃ２）を含んでおり、エネルギー回収回路部８０から供給される第１電圧であるサステイン電圧（Ｖ１=Ｖｓ）とセットアップ電圧源（Ｖ２=Ｖｓｔ）の電圧値とを合わせて第１上昇ランプ生成部８０２に供給する。
【００８６】
また、該第１上昇ランプ生成部８０２は、第５スイッチ（Ｑ５）を含んでおり、該第５スイッチ（Ｑ５）のゲート（Ｇａｔｅ）端には第１可変抵抗（ＶＲ１）が接続される。また、第１上昇ランプ生成部８０２の第５スイッチ（Ｑ５）は、リセット期間の間に図示されない制御信号に応答して切換されることで、セットアップ電圧を第１ノード（ｎ１）に供給する。
【００８７】
また、第２セットアップ供給部８２は、第３電圧であるスキャン電圧を供給するスキャン電圧源（Ｖ３=Ｖｓｃ）と第２ノード（ｎ２）の間に接続される第３電圧蓄積部８０３、並びに、スキャン電圧源（Ｖｓｃ）と第２ノード（ｎ２）の間に接続される第２上昇ランプ生成部８０４及び電流経路選択制御部８０５、並びに、スキャン電圧源（Ｖｓｃ）と第２上昇ランプ生成部８０４及び第３電圧蓄積部８０３との間に接続される第２逆電流遮断部８０６と、を含む。
【００８８】
また、電流経路選択制御部８０５は、第９スイッチ（Ｑ９）を含む。
【００８９】
また、第２逆電流遮断部８０６は、第４ダイオード（Ｄ４）を含んでおり、第３電圧蓄積部８０３からスキャン電圧源（Ｖ３=Ｖｓｃ）に向かって流れる逆方向電流を遮断するように設置される。
【００９０】
また、第３電圧蓄積部８０３は、第３電圧であるスキャン電圧（Ｖ３=Ｖｓｃ）を格納するための第３キャパシタ（Ｃ３）を含んでいる。第３電圧蓄積部８０３の一方端は、駆動信号出力部８３の一方端と、第１電流経路制御部８４の一方端と、セットダウン供給部８６の一方端と、負極性スキャン電圧供給部８７の一方端と共通に接続されている。また、第３電圧蓄積部８０３の他方端は、第２逆電流遮断部８０６の一方端及び第２上昇ランプ生成部の一方端８０４と共通に接続される。また、第３電圧蓄積部８０３は、リセット区間の間に、第１上昇ランプ生成部８０２を通して供給される電圧（Ｖｓ＋Ｖｓｔ）とスキャン電圧（Ｖ３=Ｖｓｃ）格納用キャパシタ（Ｃ３）に既に格納されていたスキャン電圧（Ｖ３=Ｖｓｃ）と合わせて、第２上昇ランプ生成部８０４に供給する。すなわち、Ｖｓ+Ｖｓｃ+Ｖｓｔの電圧を第２上昇ランプ生成部８０４に供給する。
【００９１】
また、第２上昇ランプ生成部８０４は、他方端が電流経路選択制御部８０５の他方端及び駆動信号出力部８３の他方端と共通に接続される。また、第２上昇ランプ生成部８０４は、第８スイッチ（Ｑ８）を含んでおり、第８スイッチ（Ｑ８）のゲート（Ｇａｔｅ）端には第２可変抵抗（ＶＲ２）が接続されている。ここで、第２上昇ランプ生成部８０４の第８スイッチ（Ｑ８）は、リセット区間の第２セットアップ区間の間にターンオンされて、セットアップ電圧をパネル（Ｃｐ）に伝達する。また、第８スイッチ（Ｑ８）及び電流経路選択制御部８０５の第９スイッチ（Ｑ９）は、アドレス区間の間に、タイミングコントローラから供給される制御信号によって切換されながら、スキャン電圧源（Ｖ３=Ｖｓｃ）の電圧を駆動信号出力部８３に供給する。
【００９２】
このような本発明に係るプラズマディスプレイパネルの駆動装置において、リセット区間のリセット波形を生成する過程を図９を参照して説明すると、次のようである。
【００９３】
図９は、本発明の第２実施形態の動作による駆動波形及びスイッチタイミングを示した図である。ここで、第２電圧蓄積部８００の第２キャパシタ（Ｃ２）には、セットアップ電圧源の電圧（Ｖ２=Ｖｓｔ）が充電されており、第３電圧蓄積部８０３の第３キャパシタ（Ｃ３）には、スキャン電圧源の電圧（Ｖ３=Ｖｓｃ）が充電されていると仮定する。
【００９４】
まず、リセット区間の第１セットアップ区間の間に、第１電圧供給部８０の第３スイッチ（Ｑ３）、第１上昇ランプ生成部８０２の第５スイッチ（Ｑ５）、第１電流経路制御部８４の第７スイッチ（Ｑ７）及び電流経路選択制御部８０５の第９スイッチ（Ｑ９）がターンオンされる。また、駆動信号出力部８３の第１３スイッチ（Ｑ１３）は、ターンオン状態をずっと維持し、第２電流経路制御部８５の第６スイッチ（Ｑ６）はターンオフされ、第２上昇ランプ生成部８０４の第８スイッチ（Ｑ８）及び駆動信号出力部８３の第１２スイッチ（Ｑ１２）はターンオフ状態をずっと維持する。
次いで、第１電圧供給部８０から第１電圧であるサステイン電圧（Ｖ１=Ｖｓ）が供給される。次いで、第１電圧供給部８０から供給されたサステイン電圧（Ｖ１=Ｖｓ）は、第６スイッチ（Ｑ６）の内部ダイオード、第７スイッチ（Ｑ７）及び駆動信号出力部８３の第１３スイッチ（Ｑ１３）を経由してパネル（Ｃｐ）に供給される。したがって、該パネル（Ｃｐ）の電圧は、Ｖｓに急激に上昇される。
【００９５】
一方、第２電圧蓄積部８００の第２キャパシタ（Ｃ２）に格納されたセットアップ電圧（Ｖ２=Ｖｓｔ）は、サステイン電圧源の電圧（Ｖ１=Ｖｓ）と合わされて第１上昇ランプ生成部８０２の第５スイッチ（Ｑ５）に供給される。次いで、第１上昇ランプ生成部８０２は、第５スイッチ（Ｑ５）のゲート端に接続された第１可変抵抗（ＶＲ１）でチャンネル幅を調節しながら第２電圧蓄積部８００の第２キャパシタ（Ｃ２）から供給される電圧を所定勾配を持つようにして第１ノード（ｎ１）に供給する。次いで、第１ノード（ｎ１）に所定勾配を持って印加される電圧は、前記第７スイッチ（Ｑ７）及び駆動信号出力部８３のスイッチ第１３スイッチ（Ｑ１３）を経由してパネル（Ｃｐ）に供給される。この時、該パネル（Ｃｐ）に第１上昇ランプパルス（Ｒａｍｐ−ｕｐ）が供給される。
【００９６】
次いで、第１上昇ランプパルスが印加された以後に、すなわち、パネル（Ｃｐ）に印加される電圧がＶｓ+Ｖｓｔまで上昇した以後に、第２上昇ランプ生成部８０４の第８スイッチ（Ｑ８）と駆動信号出力部８３の第１２スイッチ（Ｑ１２）はターンオンされ、第９スイッチ（Ｑ９）と第１３スイッチ（Ｑ１３）はターンオフされる。この時、第２ノード（ｎ２）の電圧がＶｓ+Ｖｓｔになる。これによって、第３電圧蓄積部８０３の第３キャパシタ（Ｃ３）に格納されていたスキャン電圧源の電圧（Ｖ３=Ｖｓｃ）がＶｓ+Ｖｓｔの電圧と合わされて第２上昇ランプ生成部８０４に供給される。次いで、該第２上昇ランプ生成部８０４は、第８スイッチ（Ｑ８）のゲート端に接続された第２可変抵抗（ＶＲ２）でチャンネル幅を調節しながら第３電圧蓄積部８０３の第３キャパシタ（Ｃ３）から供給されるＶｓ+Ｖｓｔ+Ｖｓｃの電圧を利用して駆動信号出力部８３に所定勾配を持つ第２上昇ランプパルス（Ｒａｍｐ−ｕｐ）を供給する。
【００９７】
第１セットアップ供給部８１と第２セットアップ供給部８２は、このような過程を経て、リセット区間の間にパネル（Ｃｐ）に第１上昇ランプパルス及び第２上昇ランプパルスを供給する。この時、第１セットアップ区間の第１上昇ランプパルスと、第２セットアップ区間の第２上昇ランプパルスの勾配は、お互いに同一であることが好ましい。すなわち、第１上昇ランプ生成部８０２と第２上昇ランプ生成部８０４とは、同一な変化量でチャンネル幅を調節することで、同一な勾配を持つ第１上昇ランプパルスと第２上昇ランプパルスを生成する。
【００９８】
これによって、リセット電圧が更に高くなり、更に効率的なリセット動作が行われて結果的に駆動時の駆動効率を高める。
なお、セットアップ区間の終了後には、スイッチＱ３，Ｑ５，Ｑ７，Ｑ８，Ｑ１２がターンオフされ、スイッチＱ９，Ｑ１３がターンオンされる。これにより、セットダウン区間では、駆動信号出力部８３の出力電圧は、図９に示すように、サステイン電圧Ｖｓまで急速に降下した後、所定の勾配をもって下降する。
【００９９】
<第３実施形態>
図１０は、本発明の第３実施形態に係るプラズマディスプレイ装置の回路図である。図示されたように、本発明に係るプラズマディスプレイパネルの駆動装置の第３実施形態においては、第１電圧供給部１００、第２電圧供給部１０１、第３電圧供給部１０２、駆動信号出力部１０３、セットダウン供給部１０６、負極性電圧供給部１０７、第１電流経路制御部１０４及び第２電流経路制御部１０５を含む。この時、第１電流経路制御部１０４は、第２電圧供給部１０１と駆動信号出力部１０３との間に接続される。また、第２電流経路制御部１０５は、第２電圧供給部１０１と第１電圧供給部１００との間に接続される。すなわち、図１０においては、図８と比べて第８スイッチ（Ｑ８）のゲート端に接続されていた第２可変抵抗（ＶＲ２）が省略された。
【０１００】
また、第２電圧供給部１０１は、第２電圧であるセットアップ電圧源（Ｖ２=Ｖｓｔ）と第１ノード（ｎ１）との間に接続された第１逆電流遮断部１００２及び上昇ランプ生成部１００１と、セットアップ電圧源（Ｖ２=Ｖｓｔ）と第１電圧供給部１００の間に設置される第２電圧蓄積部１０００と、を含む。
【０１０１】
また、第１逆電流遮断部１００２は、第３ダイオード（Ｄ３）を含んでおり、第２電圧蓄積部１０００からセットアップ電圧源（Ｖ２=Ｖｓｔ）に向かって流れる逆方向電流を遮断する。
【０１０２】
また、前記第２電圧蓄積部１０００は、セットアップ電圧（Ｖ２=Ｖｓｔ）が格納される第２キャパシタ（Ｃ２）を含んでおり、第１電圧供給部１００から供給されるサステイン電圧（Ｖｓ）とセットアップ電圧源（Ｖ２=Ｖｓｔ）の電圧値とを合わせて、上昇ランプ生成部１００１に供給する。
【０１０３】
また、該上昇ランプ生成部１００１は、第５スイッチ（Ｑ５）を含む。この時、該第５スイッチ（Ｑ５）のゲート（Ｇａｔｅ）端には可変抵抗（ＶＲ１）が接続されている。また、上昇ランプ生成部１００１の第５スイッチ（Ｑ５）は、リセット期間の間に図示されない制御信号に応答して切換されることで、セットアップ電圧（Ｖ２=Ｖｓｔ）を第１ノード（ｎ１）に供給する。
【０１０４】
また、第３電圧供給部１０２は、第３電圧であるスキャン電圧源（Ｖ３=Ｖｓｃ）と第２ノード（ｎ２）の間に接続される第３電圧蓄積部１００３と、スキャン電圧源（Ｖ３=Ｖｓｃ）と第２ノード（ｎ２）の間に接続される第３電圧供給制御部１００４及び電流経路選択制御部１００５と、スキャン電圧源（Ｖ３=Ｖｓｃ）と第３電圧供給制御部１００４及び第３電圧蓄積部１００３との間に接続される第２逆電流遮断部１００６と、を含む。
【０１０５】
また、電流経路選択制御部１００５は第９スイッチ（Ｑ９）を含む。
【０１０６】
また、第２逆電流遮断部１００６は、第４ダイオード（Ｄ４）を含んでおり、第３電圧蓄積部１００３からスキャン電圧源（Ｖ３=Ｖｓｃ）に向かって流れる逆方向電流を遮断するように設置される。
【０１０７】
また、第３電圧供給制御部１００４は、第８スイッチ（Ｑ８）を含んでおり、セットアップ区間の間に第３電圧蓄積部１００３に格納されたスキャン電圧（Ｖ３=Ｖｓｃ）が駆動信号出力部１０３に供給されることを制御する。すなわち、セットアップ区間の間にスキャン電圧（Ｖ３=Ｖｓｃ）の供給を制御する。
また、第３電圧供給制御部１００４は、他方端が電流経路選択制御部１００５の他方端及び駆動信号出力部１０３の他方端と共通に接続される。ここで、第３電圧供給制御部１００４の第８スイッチ（Ｑ８）は、リセット区間のセットアップ区間の間にターンオンされてセットアップ電圧をパネル（Ｃｐ）に伝達する。また、第８スイッチ（Ｑ８）及び電流経路選択制御部１００５の第９スイッチ（Ｑ９）は、アドレス区間の間にタイミングコントローラから供給される制御信号によって切換されながらスキャン電圧源（Ｖ３=Ｖｓｃ）の電圧を駆動信号出力部１０３に供給する。
【０１０８】
また、第３電圧蓄積部１００３は、第３電圧であるスキャン電圧（Ｖ３=Ｖｓｃ）を格納するための第３キャパシタ（Ｃ３）を含んでいる。第３電圧蓄積部１００３の一方端は、駆動信号出力部１０３の一方端、第１電流経路制御部１０４の一方端及び電流経路選択制御部１００５の一方端と共通に接続されている。また、第３電圧蓄積部１００３の他方端は、第２逆電流遮断部１０６の一方端及び第３電圧供給制御部１００４の一方端と共通に接続される。また、第３電圧蓄積部１００３は、リセット区間の間に上昇ランプ生成部１００１を通して供給される電圧と、第３キャパシタ（Ｃ３）に既に格納されていたスキャン電圧（Ｖ３=Ｖｓｃ）と合わせて、前記第３電圧供給制御部１００４に供給する。すなわち、Ｖｓ+Ｖｓｃ+Ｖｓｔの電圧を第３電圧供給制御部１００４に供給する。
【０１０９】
このような本発明に係るプラズマディスプレイパネルの駆動装置において、リセット区間のリセット波形を生成する過程を図１１を参照して説明すると、次のようである。
【０１１０】
図１１は、本発明の第３実施形態の動作による駆動波形及びスイッチタイミングを示した図である。ここで、第２電圧蓄積部１０００の第２キャパシタ（Ｃ２）には、セットアップ電圧源の電圧（Ｖ２=Ｖｓｔ）が充電されており、前記第３電圧蓄積部１００３の第３キャパシタ（Ｃ３）には、スキャン電圧源の電圧（Ｖ３=Ｖｓｃ）が充電されていると仮定する。
【０１１１】
まず、リセット区間のセットアップ区間の間に第１電圧供給部１００の第３スイッチ（Ｑ３）、上昇ランプ発生部１００１の第５スイッチ（Ｑ５）、前記第１電流経路制御部１０４の第７スイッチ（Ｑ７）、第３電圧供給制御部１００４の第８スイッチ（Ｑ８）及び前記駆動信号出力部１０３の第１２スイッチ（Ｑ１２）がターンオンされる。第２電流経路制御部１０５の第６スイッチ（Ｑ６）はターンオフされて、電流経路選択制御部１００５の第９スイッチ（Ｑ９）及び駆動信号出力部１０３の第１３スイッチ（Ｑ１３）はターンオフ状態を維持する。
【０１１２】
この時、第１電圧供給部１００から第１電圧であるサステイン電圧（Ｖ１=Ｖｓ）が供給される。次いで、該第１電圧供給部１００から供給されたサステイン電圧（Ｖ１=Ｖｓ）は、第６スイッチ（Ｑ６）の内部ダイオード、第７スイッチ（Ｑ７）、第３電圧蓄積部１００３の第３キャパシタ（Ｃ３）、第８スイッチ（Ｑ８）及び第１２スイッチ（Ｑ１２）を経由してパネル（Ｃｐ）に供給される。したがって、第１電圧供給部１００から供給されたサステイン電圧（Ｖ１=Ｖｓ）と第３電圧蓄積部１００３の第３キャパシタ（Ｃ３）に格納されていたスキャン電圧（Ｖ３=Ｖｓｃ）とが合わされてパネル（Ｃｐ）に供給されるため、該パネル（Ｃｐ）の電圧はＶｓ+Ｖｓｃに急激に上昇される。
【０１１３】
一方、第２電圧蓄積部１０００の第２キャパシタ（Ｃ２）に格納されたセットアップ電圧（Ｖｓｔ）は、サステイン電圧源の電圧（Ｖ１=Ｖｓ）と合わされて上昇ランプ生成部１００１の第５スイッチ（Ｑ５）に供給される。次いで、上昇ランプ生成部１００１は、第５スイッチ（Ｑ５）のゲート端に接続された可変抵抗（ＶＲ１）でチャンネル幅を調節しながら第２キャパシタ（Ｃ２）から供給される電圧を所定勾配を持つようにして第１ノード（ｎ１）に供給する。次いで、該第１ノード（ｎ１）に所定勾配を持って印加される電圧は、第７スイッチ（Ｑ７）、第３キャパシタ（Ｃ３）、第８スイッチ（Ｑ８）及び第１２スイッチ（Ｑ１２）を経由して前記パネル（Ｃｐ）に供給される。この時、該パネル（Ｃｐ）に上昇ランプパルス（Ｒａｍｐ−ｕｐ）が供給される。ここで、該パネル（Ｃｐ）に印加される上昇ランプパルスは、Ｖｓ+Ｖｓｃから始まってＶｓ+Ｖｓｃ+Ｖｓｔまで上昇する。すなわち、上昇ランプパルスの開始点における電圧がＶｓではなく、Ｖｓ+Ｖｓｃに高くなる。これによって、上昇ランプパルスの最後の地点における電圧もＶｓ+Ｖｓｃ+Ｖｓｔまで高くなる。
【０１１４】
すなわち、第１電圧供給部１００がサステイン電圧（Ｖ１=Ｖｓ）を印加すると、第２電圧供給部１０１は、サステイン電圧（Ｖ１=Ｖｓ）からサステイン電圧とセットアップ電圧との合計（Ｖｓ+Ｖｓｔ）まで上昇する上昇ランプパルスを生成する。この時、該上昇ランプパルスは、第３キャパシタ（Ｃ３）に印加されて第３電圧供給制御部１００４がターンオンされるので、パネルに印加されるパルスは、Ｖｓ+ＶｓｔからＶｓ+Ｖｓｔ+Ｖｓｃまで上昇する波形を持つ。
【０１１５】
パネル（Ｃｐ）に上昇ランプパルス（Ｒａｍｐ−ｕｐ）が供給された後、第３スイッチ（Ｑ３）、第５スイッチ（Ｑ５）、第７スイッチ（Ｑ７）、第８スイッチ（Ｑ８）及び第１２スイッチ（Ｑ１２）はターンオフされ、第６スイッチ（Ｑ６）はターンオフ状態を維持し、第９スイッチ（Ｑ９）及び第１１スイッチ（Ｑ１１）はターンオンされる。
【０１１６】
前記第５スイッチ（Ｑ５）と第１２スイッチ（Ｑ１２）がターンオフされると、前記第１電圧供給部１００から供給されるＶｓの電圧のみが第１ノード（ｎ１）にしばらく印加されることでパネル（Ｃｐ）の電圧はＶｓに急激に下降し、その後所定の傾きで低下する。
【０１１７】
次いで、第２電圧供給部１０１と第３電圧供給部１０２は、このような過程を経てリセット期間の間にパネル（Ｃｐ）に相対的に高い電圧を持つ上昇ランプパルス（Ｒａｍｐ−ｕｐ）を供給する。
これによって、プラズマディスプレイパネルのリセット区間でリセット電圧が更に高くなり、更に効率的なリセット動作が行われて結果的に駆動時の駆動効率を高める。
【０１１８】
<第４実施形態>
図１２は、本発明に係るプラズマディスプレイパネルの駆動装置の第４実施形態を示した図面である。図示されたように、本発明に係るプラズマディスプレイパネルの駆動装置の第４実施形態においては、第１電圧供給部１２０、第２電圧供給部１２１、第３電圧供給部１２２、電流経路選択及び駆動信号出力部１２３、セットダウン供給部１２６、負極性電圧供給部１２７、第１電流経路制御部１２４及び第２電流経路制御部１２５を含む。また、第１電流経路制御部１２４は、第２電圧供給部１２１と電流経路選択及び駆動信号出力部１２３の間に接続される。また、第２電流経路制御部１２５は、第２電圧供給部１２１と第１電圧供給部１２０の間に接続される。すなわち、図１２では、図１０と比べて図１０の第３電圧供給部の第８スイッチ（Ｑ８）及び第９スイッチ（Ｑ９）が省略された。
【０１１９】
また、第２電圧供給部１２１は、第２電圧であるセットアップ電圧源（Ｖ２=Ｖｓｔ）と第１ノード（ｎ１）の間に接続された第１逆電流遮断部１２０２及び上昇ランプ生成部１２０１と、セットアップ電圧源（Ｖ２=Ｖｓｔ）と第１電圧供給部１２０の間に設置される第２電圧蓄積部１２００と、を含む。
【０１２０】
また、第１逆電流遮断部１２０２は、第３ダイオード（Ｄ３）を含んでおり、第２電圧蓄積部１２００からセットアップ電圧源（Ｖ２=Ｖｓｔ）に向かって流れる逆方向電流を遮断する。
【０１２１】
また、第２電圧蓄積部１２００は、セットアップ電圧（Ｖ２=Ｖｓｔ）が格納される第２キャパシタ（Ｃ２）を含んでいる。第２電圧蓄積部１２００は、第１電圧供給部１２０から供給される第１電圧であるサステイン電圧（Ｖ１=Ｖｓ）と、セットアップ電圧源（Ｖ２=Ｖｓｔ）の電圧値とを合わせて上昇ランプ生成部１２０１に供給する。
【０１２２】
また、該上昇ランプ生成部１２０１は、第５スイッチ（Ｑ５）を含む。また、第５スイッチ（Ｑ５）のゲート（Ｇａｔｅ）端には可変抵抗（ＶＲ１）が接続されている。また、上昇ランプ生成部１２０１の第５スイッチ（Ｑ５）は、リセット期間の間に図示されない制御信号に応答して切換されることで、セットアップ電圧（Ｖ２=Ｖｓｔ）を第１ノード（ｎ１）に供給する。
【０１２３】
また、第３電圧供給部１２２は、第３電圧を供給するスキャン電圧源（Ｖ３=Ｖｓｃ）と第２ノード（ｎ２）との間に接続される第３電圧蓄積部１２０３を含む。また、スキャン電圧源と、第３電圧蓄積部１２０３、電流経路選択及び駆動信号出力部１２３との間には、第２逆電流遮断部１２０４が設置される。
【０１２４】
また、第３電圧蓄積部１２０３は、第３電圧であるスキャン電圧（Ｖ３=Ｖｓｃ）を格納するための第３キャパシタ（Ｃ３）を含む。また、前記第３電圧蓄積部１２０３の一方端は、電流経路選択及び前記駆動信号出力部１２３の一方端並びに第１電流経路制御部１２４の一方端と共通に接続され、他方端は、第２逆電流遮断部１２０４の一方端並びに電流経路選択及び駆動信号出力部１２３の他方端と共通に接続される。
【０１２５】
また、第２逆電流遮断部１２０４は、第３電圧蓄積部１２０３の第３キャパシタＣ３からスキャン電圧源（Ｖ３=Ｖｓｃ）に向かって流れる逆方向電流を遮断するようにする第４ダイオード（Ｄ４）を含む。
【０１２６】
また、電流経路選択及び駆動信号出力部１２３は、第１電流経路選択制御部１２０５と第２電流経路選択制御部１２０６を含む。また、電流経路選択及び駆動信号出力部１２３は、第１電流経路選択制御部１２０５と第２電流経路選択制御部１２０６との間からパネル（Ｃｐ）に印加される駆動信号が出力される。
【０１２７】
また、第１電流経路選択制御部１２０５は、第１２スイッチ（Ｑ１２）を含んでおり、リセット区間のセットアップ区間の間にセットアップ電圧をパネル（Ｃｐ）に供給する。
【０１２８】
また、第２電流経路選択制御部１２０６は、第１３スイッチ（Ｑ１３）を含んでおり、リセット区間のセットダウン区間の間にセットダウン電圧をパネル（Ｃｐ）に供給する。
【０１２９】
本発明に係るプラズマディスプレイパネルの駆動装置において、リセット区間のリセット波形を生成する過程を図１３を参照して説明すると、次のようである。
【０１３０】
図１３は、図１２のプラズマディスプレイパネルの駆動装置において、リセット区間に上昇ランプパルスを生成するための駆動方法によるスイッチング動作のタイミング図を示した図である。ここで、第２電圧蓄積部１２００の第２キャパシタ（Ｃ２）には、セットアップ電圧源の電圧（Ｖｓｔ）が充電されており、第３電圧蓄積部１２０３の第３キャパシタ（Ｃ３）には、スキャン電圧源の電圧（Ｖｓｃ）が充電されていると仮定する。
【０１３１】
まず、リセット区間のセットアップ区間の間に第１電圧供給部１２０の第３スイッチ（Ｑ３）、上昇ランプ発生部１２０１の第５スイッチ（Ｑ５）、第１電流経路制御部１２４の第７スイッチ（Ｑ７）、並びに、電流経路選択及び駆動信号出力部１２３に含まれた前記第１電流経路選択制御部１２０５の第１２スイッチ（Ｑ１２）がターンオンされ、第２電流経路制御部１２５の第６スイッチ（Ｑ６）はターンオフされ、電流経路選択及び駆動信号出力部１２３に含まれた第２電流経路選択制御部１２０６の第１３スイッチ（Ｑ１３）はターンオフ状態を維持する。
【０１３２】
この時、第１電圧供給部１２０からサステイン電圧（Ｖ１=Ｖｓ）が供給される。次いで、該第１電圧供給部１２０から供給されたサステイン電圧（Ｖｓ）は、第６スイッチ（Ｑ６）の内部ダイオード、第７スイッチ（Ｑ７）、第３電圧蓄積部１２０３の第３キャパシタ（Ｃ３）及び第１電流経路選択制御部１２０５の第１２スイッチ（Ｑ１２）を経由して前記パネル（Ｃｐ）に供給される。したがって、該パネル（Ｃｐ）の電圧はＶｓ+Ｖｓｃに急激に上昇される。
【０１３３】
一方、第２電圧蓄積部１２００の第２キャパシタ（Ｃ２）に格納されたセットアップ電圧（Ｖ２=Ｖｓｔ）は、サステイン電圧源の電圧（Ｖ１=Ｖｓ）と合わされて上昇ランプ発生部１２０１の第５スイッチ（Ｑ５）に供給される。次いで、上昇ランプ発生部１２０１は、第５スイッチ（Ｑ５）のゲート端に接続された可変抵抗（ＶＲ１）でチャンネル幅を調節しながら第２キャパシタ（Ｃ２）から供給される電圧を所定勾配を持つようにして第１ノード（ｎ１）に供給する。次いで、該第１ノード（ｎ１）で所定勾配を持って印加される電圧は、第７スイッチ（Ｑ７）、第３キャパシタ（Ｃ３）及び第１２スイッチ（Ｑ１２）を経由して前記パネル（Ｃｐ）に供給される。この時、該パネル（Ｃｐ）に上昇ランプパルス（Ｒａｍｐ−ｕｐ）が供給される。ここで、前記パネル（Ｃｐ）に印加される上昇ランプパルスは、Ｖｓ+Ｖｓｃから始まってＶｓ+Ｖｓｃ+Ｖｓｔまで上昇する。
【０１３４】
上昇ランプパルスは、セットアップ区間の開始時に於いて、ノード（ｎ１）の電圧（Ｖｓ）と第３キャパシタ（Ｃ３）に蓄積されたＶｓｃとの合計であるＶｓ＋Ｖｓｃまで急速に上昇する。その後、上昇ランプパルスは、スイッチ（Ｑ５）がノードｎ１をＶｓからＶｓ＋Ｖｓｔまで上昇させるに伴って、Ｖｓ＋Ｖｓｃから（Ｖｓ＋Ｖｓｔ）＋Ｖｓｃまで所定の傾きで上昇する。
すなわち、第１電圧供給部１２０がサステイン電圧（Ｖ１=Ｖｓ）を印加すると、第２電圧供給部１０１は、サステイン電圧（Ｖ１=Ｖｓ）からサステイン電圧とセットアップ電圧との合計（Ｖｓ+Ｖｓｔ）まで上昇する上昇ランプパルスを生成する。即ち、第１電圧供給部１２０は、ノードｎ１をＶｓから（Ｖｓ＋Ｖｓｔ）まで上昇させる。この時、該上昇ランプパルスは第３キャパシタ（Ｃ３）に印加されて、パネルに印加されるパルスは、初期に印加されたＶｓ＋Ｖｓｃから（Ｖｓ+Ｖｓｔ）+Ｖｓｃまで上昇する波形を持つ。
【０１３５】
パネル（Ｃｐ）に上昇ランプパルス（Ｒａｍｐ−ｕｐ）が供給された後、第３スイッチ（Ｑ３）、第５スイッチ（Ｑ５）、第７スイッチ（Ｑ７）、第１２スイッチ（Ｑ１２）はターンオフされ、第６スイッチ（Ｑ６）はターンオフ状態を維持し、第１３スイッチ（Ｑ１３）はターンオンされる。
第５スイッチ（Ｑ５）と第１２スイッチ（Ｑ１２）がターンオフされると、第１電圧供給部１２０から供給されるＶｓの電圧のみが第１ノード（ｎ１）にしばらく印加されることでパネル（Ｃｐ）の電圧はＶｓに急激に下降し、その後所定の傾きでグランド電圧ＧＮＤまで低下する。
次いで、第２電圧供給部１２１と第３電圧供給部１２２は、このような過程を経てリセット期間の間にパネル（Ｃｐ）に相対的に高い電圧を持つ上昇ランプパルス（Ｒａｍｐ−ｕｐ）を供給する。
これによって、プラズマディスプレイパネルのリセット区間でリセット電圧が更に高くなり、更に効率的なリセット動作が行われて結果的に駆動時の駆動効率を高める。
第２電圧供給部１２１とスキャン電圧供給部１２３は、このような過程を繰り返しながらリセット期間の間パネル（Ｃｐ）に相対的に高い電圧の上昇ランプパルス（Ｒａｍｐ−ｕｐ）を供給する。
【０１３６】
これによって、プラズマディスプレイパネルの駆動装置の部品数を減らしながらもリセット電圧が更に高くなり、より効率的なリセット動作が行われて、結果的に駆動時に駆動効率を高めると同時に、駆動装置の製作単価が減少する。
【図面の簡単な説明】
【０１３７】
【図１】一般的なプラズマディスプレイパネルの斜視図である。
【図２】従来のプラズマディスプレイ装置の画像階調を具現する方法を示した図である。
【図３】従来のプラズマディスプレイ装置の駆動方法による駆動波形を示した図である。
【図４】従来のプラズマディスプレイ装置の回路図である。
【図５】従来のプラズマディスプレイパネルの駆動装置において、リセット区間に上昇ランプ波形を生成するためのスイッチング動作を説明するためのタイミング図である。
【図６】本発明の第１実施形態によるプラズマディスプレイ装置の回路図である。
【図７】本発明の第１実施形態の動作による駆動波形及びスイッチタイミングを示した図である。
【図８】本発明の第２実施形態によるプラズマディスプレイ装置の回路図である。
【図９】本発明の第２実施形態の動作による駆動波形及びスイッチタイミングを示した図である。
【図１０】本発明の第３実施形態によるプラズマディスプレイ装置の回路図である。
【図１１】本発明の第３実施形態の動作による駆動波形及びスイッチタイミングを示した図である。
【図１２】本発明の第４実施形態によるプラズマディスプレイ装置の回路図である。
【図１３】本発明の第４実施形態の動作による駆動波形及びスイッチタイミングを示した図である。
【符号の説明】
【０１３８】
６０  第１電圧供給部
６１  セットアップ/スキャン動作部
６２  駆動信号出力部
６３  セットダウン供給部
６４  負極性電圧供給部
６０２  第２電圧蓄積部
６０３  上昇ランプ生成部
６０４  逆電流遮断部
６０５  電流経路選択制御部
【図１】
2006079103.tif 000003
【図４】
2006079103.tif 000004
【図５】
2006079103.tif 000005
【図６】
2006079103.tif 000006
【図８】
2006079103.tif 000007
【図１０】
2006079103.tif 000008
【図１２】
2006079103.tif 000009
【図２】
2006079103.tif 000010
【図３】
2006079103.tif 000011
【図７】
2006079103.tif 000012
【図９】
2006079103.tif 000013
【図１１】
2006079103.tif 000014
【図１３】
2006079103.tif 000015